(57)【要約】【課題】適切な色表示を簡易に実現できる表示装置および時計を提供すること。【解決手段】電気泳動表示パネルと、駆動手段２２とを備えた表示装置であって、駆動手段は、電気泳動素子により表示される色レベルと、当該色レベルの前記電気泳動素子に正および負のパルスを印加した際の色レベルとが関連付けられた色遷移情報を記憶する記憶手段２２６と、表示させる色レベルを目標値として設定する目標値設定手段２２３と、現在の色レベルである現在値が目標値と一致するまでパルスを印加するパルス印加手段２２４とを備える。パルス印加手段２２４は、現在値と目標値とが一致するか否かを判定する値判定部２２４１と、一致しないと判定されると、現在値が目標値に近接する方向にパルスを印加するパルス印加部２２４２と、遷移値を色遷移情報から取得する遷移値取得部２２４３と、遷移値で現在値を更新する現在値更新部２２４４とを有する。【選択図】図１５
2008003343.tif 000002
【特許請求の範囲】
【請求項１】
電極間に色及び極性の異なる２種類の電気泳動素子を有し、印加電圧に応じて表示状態が変化する電気泳動表示パネルと、前記電極間に電圧を印加して前記電気泳動表示パネルを駆動する駆動手段とを備えた表示装置であって、
前記駆動手段は、
前記電気泳動素子により表示される色レベルと、当該色レベルの前記電気泳動素子に接続された前記電極に対して正のパルスを印加した際の色レベル、および、負のパルスを印加した際の色レベルとが関連付けられた色遷移情報を記憶する記憶手段と、
前記電気泳動素子に表示させる色レベルを目標値として設定する目標値設定手段と、
前記電気泳動素子の現在の色レベルである現在値が、少なくとも前記目標値と一致するまで前記電極に所定電圧レベルのパルスを印加するパルス印加手段とを備え、
前記パルス印加手段は、
前記現在値と、前記目標値とが一致するか否かを判定する値判定部と、
前記値判定部により一致しないと判定されると、前記現在値が前記目標値に近接するように、前記電極に対して、前記正のパルスおよび前記負のパルスのいずれかを印加するパルス印加部と、
前記パルスが印加された際の色レベルである遷移値を、前記色遷移情報から取得する遷移値取得部と、
取得された前記遷移値で、前記現在値を更新する現在値更新部とを有することを特徴とする表示装置。
【請求項２】
請求項１に記載の表示装置において、
前記色遷移情報は、
前記電気泳動表示パネルにより表示可能な複数の色レベル素子と、当該複数の色レベルのそれぞれの表示状態にある前記２種類の電気泳動素子に係る前記電極に対して、前記正のパルスおよび前記負のパルスのいずれかを印加した際の前記遷移値とが関連付けられたテーブルとして、前記記憶手段に記憶されていることを特徴とする表示装置。
【請求項３】
請求項２に記載の表示装置において、
前記色遷移情報は、一方の軸に前記複数の色レベルが設定され、他方の軸に前記目標値を含み、前記電気泳動素子で表示可能な色レベルが設定されたテーブルとして、前記記憶手段に記憶され、
前記遷移値は、前記現在値の表示状態にある前記電気泳動素子に係る前記電極に対して、前記正のパルスおよび前記負のパルスのいずれかを１パルス印加した際の色レベルで設定されていることを特徴とする表示装置。
【請求項４】
請求項１から請求項３のいずれかに記載の表示装置において、
前記目標値設定手段は、
前記色レベルが増加する方向、および、当該色レベルが減少する方向のそれぞれで表示状態が略同じとなる色レベルを前記目標値に設定することを特徴とする表示装置。
【請求項５】
請求項１から請求項４のいずれかに記載の表示装置において、
前記２種類の電気泳動素子は、濃淡を形成する２つの色素片であり、
前記色レベルは、前記各色素片によって形成される濃淡の階調レベルであることを特徴とする表示装置。
【請求項６】
請求項１から請求項５のいずれかに記載の表示装置と、当該表示装置を収納する筐体とを備えることを特徴とする時計。
【発明の詳細な説明】
【技術分野】
【０００１】
本発明は、電気泳動素子を有する電気泳動表示パネルを備える表示装置、および、当該表示装置を備える時計に関する。
【背景技術】
【０００２】
従来、時刻を表示する表示部と、当該表示部による画像表示を制御する制御手段とを備えた表示装置が知られている。このような表示装置として、電気泳動素子を有する表示装置（電気泳動表示パネル）が知られている（例えば、特許文献１参照）。
【０００３】
この特許文献１に記載の電気泳動表示パネルは、透明電極と分割電極との間に電気泳動表示用分散系が形成されている。この電気泳動表示用分散系は、黒色に着色され、かつ、負に帯電した色素片と、白色に着色され、かつ、正に帯電した色素片とを備えて構成されている。そして、透明電極と分割電極との間に電位差を生じさせると、一方の色素片が透明電極側に、また、他方の色素片が分割電極側に集中し、透明電極側に集中した色素片が視認されるようになる。そして、これら共通電極および分割電極に印加する電圧の高低、および、印加時間によって、各電極に集中する色素片の量を調整することができ、色（白黒）の階調レベルを調整することが可能となる。そして、このような分散系が多数形成されたセグメントにより、文字等を表現することができるように構成されている。
【０００４】
【特許文献１】特開昭５２−７０７９１号公報
【発明の開示】
【発明が解決しようとする課題】
【０００５】
しかしながら、このような電気泳動表示パネルでは、分散系に印加する電圧である正負のパルスの数と、表示される色の階調レベルとが比例関係となるように設定することが難しいため、所望の階調表示を行う際の処理が複雑になるという問題がある。
すなわち、電気泳動表示パネルにおいては、階調レベルは飽和曲線状に変化するため、例えば、黒表示状態から白に変化する方向（白方向）、および、白表示状態から黒に変化する方向（黒方向）に１パルス印加した際に、階調レベルが急激に変化してしまう場合がある。一方、灰色のような中間色の状態（中間状態）から黒方向または白方向に１パルス印加した場合においても、１パルス印加時の増減分が、現在の表示状態によって異なる。このため、表示される階調レベルの飽和曲線に沿うように印加パルス数の制御を行う必要があり、適切な階調表示を行おうとすると、処理が複雑化するという問題がある。
【０００６】
本発明の目的は、適切な色表示を簡易な処理で実現できる表示装置および時計を提供することである。
【課題を解決するための手段】
【０００７】
前記した目的を達成するために、本発明の表示装置は、電極間に色及び極性の異なる２種類の電気泳動素子を有し、印加電圧に応じて表示状態が変化する電気泳動表示パネルと、前記電極間に電圧を印加して前記電気泳動表示パネルを駆動する駆動手段とを備えた表示装置であって、前記駆動手段は、前記電気泳動素子により表示される色レベルと、当該色レベルの前記電気泳動素子に接続された前記電極に対して正のパルスを印加した際の色レベル、および、負のパルスを印加した際の色レベルとが関連付けられた色遷移情報を記憶する記憶手段と、前記電気泳動素子に表示させる色レベルを目標値として設定する目標値設定手段と、前記電気泳動素子の現在の色レベルである現在値が、少なくとも前記目標値と一致するまで前記電極に所定電圧レベルのパルスを印加するパルス印加手段とを備え、前記パルス印加手段は、前記現在値と、前記目標値とが一致するか否かを判定する値判定部と、前記値判定部により一致しないと判定されると、前記現在値が前記目標値に近接するように、前記電極に対して、前記正のパルスおよび前記負のパルスのいずれかを印加するパルス印加部と、前記パルスが印加された際の色レベルである遷移値を、前記色遷移情報から取得する遷移値取得部と、取得された前記遷移値で、前記現在値を更新する現在値更新部とを有することを特徴とする。
【０００８】
本発明によれば、パルス印加手段が、電気泳動表示パネルの色レベルを目標値設定手段により設定された目標値に合わせる際に、当該パルス印加手段を構成する値判定部が、現在の電気泳動表示パネルの色レベルである現在値と目標値とを比較して、それぞれが一致するか否かを判定する。そして、それぞれが一致しないと判定されると、パルス印加部が、現在値が目標値に近づく方向のパルスを電極に印加する。ここで、パルス印加部は、例えば、正のパルスを印加した際に色レベルが上がり、負のパルスを印加した際に色レベルが下がるように構成されている電気泳動表示パネルの場合で、現在値が目標値より低い場合には正のパルスを、また、現在値が目標値より高い場合には負のパルスを印加する。また、この際、パルス印加部は、記憶手段に記憶された色遷移情報に係る印加パルス数と同じ数のパルスを電極に印加する。そして、遷移値取得部が、当該色遷移情報を参照し、パルス印加部によりパルス印加された際に現在値から遷移する色レベルである遷移値を取得し、現在値更新部が取得した遷移値で現在値を更新する。そして、再び値判定値が、更新された現在値および目標値のそれぞれの色レベルが一致するか否かを判定し、それぞれが一致するまで上記処理を繰り返す。
【０００９】
これによれば、正負いずれかのパルスを印加した際の色レベルの遷移値が色遷移情報として記憶手段に記憶されているので、パルス印加によって遷移した色レベルと目標値とを比較して、それぞれが一致するまでパルスを印加することとなる。このため、更新される現在値と目標値とを比較しつつパルス印加が行われるので、現在値から目標値への色レベルの遷移を適切に行うことができるほか、予め印加するパルス数を算出した後にパルス印加を行う場合に比べ、複雑な処理を必要とせずに目標値に達することができる。従って、適切な色表示を簡易な処理で実現することができる。
【００１０】
また、これにより、色レベルの変更中に目標値が変わった場合でも、現在の色レベルである現在値が常に遷移値で更新されているので、現在値を常に適切に保持することができる。このため、パルス数の再計算等をせずに、現在値と新たに設定された目標値とを比較しつつパルスを印加することにより、当該変更された目標値に適切に達することができる。従って、色レベル変更における処理時間を短縮することができる。また、これらのように、色レベル変更において複雑な処理を要せず、処理時間を短縮することができるので、応答性を向上することができるほか、表示装置の消費電力を低減することができる。
【００１１】
さらに、電気泳動表示パネルの仕様変更や、製造時期等によりバージョン変更が行われた場合でも、記憶手段に記憶された色遷移情報を変更することにより、各種電気泳動表示パネルに対応することができる。
すなわち、電気泳動表示パネルが変更された場合には、印加パルス数や当該パルスの電圧レベルと、印加パルスによって変化する色レベルとの関係が変わる場合がある。このような場合、電気泳動表示パネルが変更される前に行われていたパルス印加に補正を加える必要があるなど、処理がさらに複雑化する。
これに対し、本発明では、電気泳動表示パネルに応じた色遷移情報から遷移値を取得することにより、現在値を適切に保持および更新することができるとともに、パルスを印加した際に遷移する遷移値を適切に取得することができる。このため、簡易な処理で所望の色レベルである目標値に、適切に達することができる。従って、各種電気泳動表示パネルに対応することができるので、表示装置の汎用性を向上できる。
【００１２】
本発明では、前記色遷移情報は、前記電気泳動表示パネルにより表示可能な複数の色レベル素子と、当該複数の色レベルのそれぞれの表示状態にある前記２種類の電気泳動素子に係る前記電極に対して、前記正のパルスおよび前記負のパルスのいずれかを印加した際の前記遷移値とが関連付けられたテーブルとして、前記記憶手段に記憶されていることが好ましい。
【００１３】
本発明によれば、色遷移情報がテーブルとして記憶手段に記憶されているので、色遷移情報が個別に記憶されている場合に比べ、当該色遷移情報を管理しやすくすることができるほか、正のパルスまたは負のパルスを印加した際に現在値から遷移する遷移値を、遷移値取得部が迅速に取得することができる。従って、色レベル変更時の処理時間を一層短縮することができ、これにより、表示装置の消費電力を一層低減することができる。
【００１４】
本発明では、前記色遷移情報は、一方の軸に前記複数の色レベルが設定され、他方の軸に前記目標値を含み、前記電気泳動素子で表示可能な色レベルが設定されたテーブルとして、前記記憶手段に記憶され、前記遷移値は、前記現在値の表示状態にある前記電気泳動素子に係る前記電極に対して、前記正のパルスおよび前記負のパルスのいずれかを１パルス印加した際の色レベルで設定されていることが好ましい。
【００１５】
本発明によれば、色遷移情報は、一方の軸に、電気泳動表示パネルで表示可能な現在値として選択される複数の色レベルが設定され、他方の軸に、目標値として設定可能な複数の色レベルが設定されたテーブルとして記憶されている。これによれば、現在の電気泳動素子の色レベルを、色遷移情報の一方の軸に設定された現在値と照合し、他方の軸に設定された色レベルから目標値を設定することで、目標値に達する方向を把握しやすくすることができ、これにより、印加パルスの正負を適切に把握することができる。従って、適切なパルスを電極に印加することができる。
【００１６】
また、色遷移情報の遷移値は、当該色遷移情報に設定された色レベルの電気泳動表示パネルの電極に、正または負の１パルスの電圧を印加した際に遷移する色レベルが設定されている。これによれば、印加パルスの最小単位で現在値から遷移する色レベルである遷移値を取得することができる。従って、より詳細な遷移値を取得することができるほか、電極に対して１パルス単位でパルス印加することにより、電気泳動表示パネルにおける色レベルを詳細に設定することができる。
【００１７】
本発明では、前記目標値設定手段は、前記色レベルが増加する方向、および、当該色レベルが減少する方向のそれぞれで表示状態が略同じとなる色レベルを前記目標値に設定することが好ましい。
ここで、現在値が目標値に一致するようにパルスを印加した場合、現在値の色レベルが増加する方向および減少する方向かによっては、それぞれで必ずしも同じ色レベルに達しないという問題がある。
具体的に例を挙げると、７階調の色レベルが設定されているモノクロ表示可能な電気泳動表示パネルにおいて、第１レベルの状態（例えば、最も色濃度が低い最白状態）から第７レベルに向かう方向に４パルス印加した場合と、第７レベルの状態（例えば、最も色濃度が高い最黒状態）から第１レベルに向う方向に３パルス印加した場合とでは、表示パネルで表示される色の色レベルが、それぞれ同じ第４レベルとなるはずが、異なる場合がある。このため、色レベルを増加させる方向であるか、あるいは減少させる方向であるかによって、適切な色表示が実現できないという可能性がある。
【００１８】
これに対し、本発明では、目標値設定手段が、色レベルが増加する方向および減少する方向のそれぞれで略同じとなる色レベルを目標値として設定することにより、色レベル変更時に、当該色レベルが増減する方向に依らずに、略同じ表示状態とすることができる。また、これにより、色レベルの遷移途中で目標値が変更された場合でも、目標値に応じた色レベルの色を適切に表示することができる。
【００１９】
本発明では、前記２種類の電気泳動素子は、濃淡を形成する２つの色素片であり、前記色レベルは、前記各色素片によって形成される濃淡の階調レベルであることが好ましい。
このような電気泳動素子として、黒の色素片および白の色素片を例示することができる。
本発明によれば、電気泳動表示パネルによるモノクロ表示を適切に行うことができ、特に中間色の表示状態を良好に行うことができる。また、電気泳動素子に対応する位置に、カラーフィルタを設けることにより、カラー表示を行うこともでき、当該カラー表示状態においても中間色の表示状態を良好に行うことができる。従って、表示装置の汎用性を向上することができる。
【００２０】
また、本発明の時計は、前述の表示装置と、当該表示装置を収納する筐体とを備えることを特徴とする。
本発明によれば、前述の表示装置と同様の効果を奏することができる。
すなわち、パルス印加時に更新される現在値と目標値とが判定され、それぞれが一致するまで、パルスが電気泳動素子に印加されて色レベルが変更される。この際、現在値と目標値との判定は、パルスが印加されるごとに行われ、また、現在値は、当該パルス印加に伴って、現在の色レベルから当該パルスが印加された際に遷移する遷移値が色遷移情報から取得されて更新される。これにより、現在値を適切に保持および更新することができるとともに、印加パルス数を算出した後にパルス印加する場合に比べ、処理を簡略化することができるほか、適切な色レベルの表示状態とすることができる。
【発明の効果】
【００２１】
本発明によれば、印加パルス数の設定において煩雑な計算処理等を必要としないので、簡易な処理で適切な色表示を実現できるほか、消費電力を低減することができる。また、電気泳動表示パネルにおける表示画像の色レベルを変更する際の応答性を向上することができる。
【発明を実施するための最良の形態】
【００２２】
以下、本発明の一実施形態を図面に基づいて説明する。
（１）時計１の構成
図１は、本実施形態に係る時計１を示す斜視図である。
時計１は、使用者の手首等に巻かれる腕時計として構成され、図１に示すように、時刻や日付等を表示する表示装置２と、当該表示装置２を内部に収納する筐体３とを備えて構成されている。
【００２３】
このうち、筐体３は、使用者の手首の形状に沿うように、側方略Ｃ字状に形成されている。この筐体３には、表示装置２の表示パネル２１（図２参照）が露出する開口部３１が形成され、当該開口部３１を閉塞し、かつ、表示パネル２１を保護する透光性カバー３２が設けられている。また、筐体３には、２つのキー３３が並列配置され、当該キー３３は、表示装置２の後述する制御基板２２（図２参照）に設けられた感圧手段２２１を押圧して、当該制御基板２２に所定の処理を実行させる。
【００２４】
（２）表示装置２の構成
図２は、表示装置２の平面を示す模式図である。
表示装置２は、図２に示すように、時刻等の文字や図形を表示する表示パネル２１と、当該表示パネル２１の駆動を制御する制御基板２２と、これらに駆動電力を供給する電池４が取り付けられる電池取付部２３とを備えている。
このうち、電池取付部２３は、表示装置２において表示パネル２１が設けられた側とは反対側の端部に設けられており、電池４を挟持する一対の挟持片２３１が設けられている。なお、本実施形態では、電池４には、一次電池であるボタン電池が採用されているが、二次電池を採用してもよい。
【００２５】
（2-1）表示パネル２１の構成
図３は、表示パネル２１の構成を示す模式図である。
表示パネル２１は、電気泳動素子として、白の色素片２１２Ｗ（図３参照）および黒の色素片２１２Ｂ（図３参照）を有する電気泳動表示パネルで構成されている。この表示パネル２１は、複数のセグメント２１１に分割されており、制御基板２２から入力するパルスに応じて、当該セグメントの表示状態が切り替わるように構成されている。
【００２６】
表示パネル２１には、図２および図３に示すように、複数のセグメント２１１が形成されており、当該セグメント２１１は、透明電導材であるＩＴＯ（Indium-Tin Oxide）によって形成される共通電極ＣＯＭおよびセグメント電極ＳＥＧと、これら共通電極ＣＯＭおよびセグメント電極ＳＥＧに挟まれるようにして配置される複数のマイクロカプセル２１２とを備えて構成されている。
このうち、共通電極ＣＯＭおよびセグメント電極ＳＥＧは、制御基板２２に電気的に接続され、当該制御基板２２から入力する電圧（パルス）をマイクロカプセル２１２に印加する。
【００２７】
マイクロカプセル２１２内には、図３に示すように、前述の白の色素片２１２Ｗおよび黒の色素片２１２Ｂと、液体（図示省略）とが封入されている。このうち、白の色素片２１２Ｗは、負に荷電しており、また、黒の色素片２１２Ｂは、正に荷電している。
このため、共通電極ＣＯＭ側が正となり、セグメント電極ＳＥＧ側が負となるように、それぞれの電極ＣＯＭ，ＳＥＧに電圧を印加すると、図３の左側に示したマイクロカプセル２１２のように、共通電極ＣＯＭ側に、負に荷電した白の色素片２１２Ｗが集中し、セグメント電極ＳＥＧ側に、正に荷電した黒の色素片２１２Ｂが集中する。
【００２８】
逆に、共通電極ＣＯＭ側が負となり、セグメント電極ＳＥＧ側が正となるように、それぞれの電極ＣＯＭ，ＳＥＧに電圧を印加すると、図３の右側に示したマイクロカプセル２１２のように、共通電極ＣＯＭ側に正に荷電された黒の色素片２１２Ｂが集中し、セグメント電極ＳＥＧ側に負に荷電した白の色素片２１２Ｗが集中する。
そして、これらのような状態では、セグメント電極ＳＥＧ側に集中した色素片は、共通電極ＣＯＭ側に集中した色素片に隠れて視認しづらくなり、結果として、共通電極ＣＯＭ側に集中した色素片に応じた色が使用者に視認されることとなる。例えば、前述のように、共通電極ＣＯＭ側に、白の色素片２１２Ｗが集中した場合には白表示が強く（後述する色濃度が低く）なり、黒の色素片２１２Ｂが集中した場合には黒表示が強く（色濃度が高く）なる。
【００２９】
（2-2）セグメント２１１の表示状態遷移
図４は、印加パルス数と、当該パルスが印加されたセグメント２１１の表示状態とを示す図である。
前述のマイクロカプセル２１２を複数備えて構成されるセグメント２１１の共通電極ＣＯＭには、図４に示すように、Ｈレベル（ハイレベル）の電圧と、Ｌレベル（ローレベル）の電圧とが、１秒間にそれぞれ４回ずつ交互に印加される。すなわち、１２５ｍｓｅｃでＨレベルとＬレベルとの電圧印加が切り替わる。このため、共通電極ＣＯＭと、セグメント電極ＳＥＧとの間に、正負の電位差を生じさせて、セグメント２１１の表示状態を切り替えるために、セグメント電極ＳＥＧに印加するパルスを調整する。なお、本実施形態では、Ｌレベルの電圧は０Ｖ、Ｈレベルの電圧は１５Ｖに設定されているが、これらの電圧レベルは、表示パネル２１に印加可能な電圧範囲内で適宜設定してよい。
【００３０】
具体的に、図４の上段に示したように、共通電極ＣＯＭに、ＨレベルおよびＬレベルのパルスが交互に入力する状態で、最白状態（最も色濃度が低い状態）のセグメント２１１のセグメント電極ＳＥＧに対して、図４の中段に示したように、継続してＨレベルであるパルスを１４回印加すると、共通電極ＣＯＭにＬレベルのパルスが印加されたタイミングで、当該共通電極ＣＯＭとセグメント電極ＳＥＧとの間に電位差が生じる。そして、当該電位差が生じるごとに、前述のように、共通電極ＣＯＭ側に黒の色素片２１２Ｂの一部が移動し、セグメント電極ＳＥＧ側に白の色素片２１２Ｗの一部が移動する。このため、電位差が生じるごとに、白表示状態から黒表示状態に向う方向（黒方向）に表示状態が切り替わる。そして、Ｈレベルのパルスが１４回印加された後、すなわち、黒方向に遷移する電位差が７回生じた後には、最白状態から中間色を経て最黒状態（最も色濃度が高い状態）に表示状態が遷移する。
【００３１】
一方、図４の下段に示したように、最黒状態のセグメント２１１に接続されたセグメント電極ＳＥＧに対して、継続してＬレベルであるパルスを１４回印加すると、共通電極ＣＯＭにＨレベルのパルスが印加されたタイミングで、当該共通電極ＣＯＭとセグメント電極ＳＥＧとの間に、前述とは逆の電位差が生じる。そして、当該電位差が生じるごとに、共通電極ＣＯＭ側に白の色素片２１２Ｗの一部が移動し、セグメント電極ＳＥＧ側に黒の色素片２１２Ｂの一部が移動する。このため、当該電位差が生じるごとに、黒表示状態から白表示状態に向う方向（白方向）に表示状態が切り替わる。そして、Ｌレベルのパルスが１４回印加された後、すなわち、白方向に遷移する電位差が７回生じた後には、最黒状態から中間色を経て最白状態に表示状態が遷移する。
【００３２】
図５および図６は、セグメント電極ＳＥＧへのパルス印加ごとのセグメント２１１の表示状態の遷移を示す図である。このうち、図５は、最白状態からの遷移を示す図であり、図６は、最黒状態からの遷移を示す図である。なお、図５および後述する図６において、「ＢＴ」は、黒書込みタイミング（黒方向に遷移させるタイミング）を示し、「ＷＴ」は、白書込みタイミング（白方向に遷移させるタイミング）を示し、それぞれに付した数字は、タイミングの順番を示している。
【００３３】
前述のように、マイクロカプセル２１２を備えて構成されるセグメント２１１は、共通電極ＣＯＭとセグメント電極ＳＥＧとの間に電位差が生じる回数によって、階調レベルが変化する。ここで、共通電極ＣＯＭには、前述のように、１秒間にＨレベルおよびＬレベルのパルスを交互に各４回出力されている。このため、セグメント電極ＳＥＧに印加するパルスを、共通電極ＣＯＭに印加するパルスと逆転させて電位差を生じさせることで、セグメント２１１の白黒の階調レベルを変化させることができる。
なお、本実施形態では、共通電極ＣＯＭに対して１秒間にＨレベルおよびＬレベルのパルスを交互にそれぞれ４回ずつ印加しているが、時計１に採用された表示パネル２１の特性に合わせて、当該共通電極ＣＯＭおよびセグメント電極ＳＥＧに１秒間に印加するパルス数は、適宜設定することができる。
【００３４】
具体的に、図５に示すように、共通電極ＣＯＭにＬレベルのパルスが印加されるＢＴ１のタイミングで、最白状態の３つのセグメント２１１１（図５上段），２１１２（図５中段），２１１３（図５下段）の各セグメント電極ＳＥＧ１，ＳＥＧ２，ＳＥＧ３に対してＨレベルのパルスを印加すると、共通電極ＣＯＭと各セグメント電極ＳＥＧとの間に電位差が生じる。このため、各セグメント２１１１〜２１１３は、この時点で、表示状態が黒方向に遷移する。
【００３５】
さらに、次に共通電極ＣＯＭにＬレベルのパルスが印加されるＢＴ２のタイミングで、セグメント２１１２，２１１３の各セグメント電極ＳＥＧ２，ＳＥＧ３に対して、Ｈレベルのパルスを印加すると電位差が生じ、セグメント２１１２，２１１３の表示状態がさらに黒方向に遷移する。
またさらに、次のＬレベルのパルスが共通電極ＣＯＭに印加されるＢＴ３のタイミングで、セグメント２１１３のセグメント電極ＳＥＧ３に対して、Ｈレベルのパルスを印加すると、当該セグメント２１１３の表示状態がさらに黒方向に遷移する。
【００３６】
この後、各セグメント２１１１〜２１１３の各セグメント電極ＳＥＧ（ＳＥＧ１，ＳＥＧ２，ＳＥＧ３）に対して、共通電極ＣＯＭに印加するパルスと同じパルスを印加することにより、当該セグメント２１１１〜２１１３のそれぞれの表示状態が維持される。
なお、各セグメント２１１１〜２１１３を黒方向に遷移させるタイミングは、１秒間におけるＢＴ１〜ＢＴ４のいずれのタイミングでもよい。
【００３７】
一方、図６に示すように、共通電極ＣＯＭにＨレベルのパルスが印加されるＷＴ１のタイミングで、最黒状態の３つのセグメント２１１１（図６上段），２１１２（図６中段），２１１３（図６下段）の各セグメント電極ＳＥＧ１，ＳＥＧ２，ＳＥＧ３に対して、Ｌレベルのパルスを印加すると、各電極ＣＯＭ，ＳＥＧとの間に、前述とは逆の電位差が生じる。このため、各セグメント２１１１〜２１１３は、この時点で、表示状態が白方向に遷移する。
【００３８】
さらに、次に共通電極ＣＯＭにＨレベルのパルスが印加されるＷＴ２のタイミングで、セグメント電極ＳＥＧ２，ＳＥＧ３に対してＬレベルのパルスを印加すると、当該電位差が生じて、セグメント２１１２，２１１３の表示状態が白方向にさらに遷移する。
また、次のＨレベルのパルスが共通電極ＣＯＭに印加されるＷＴ３のタイミングで、セグメント電極ＳＥＧ３にＨレベルのパルスを印加すると、セグメント２１１３の表示状態がさらに白方向に遷移する。
【００３９】
この後、各セグメント２１１１〜２１１３の各セグメント電極ＳＥＧ（ＳＥＧ１，ＳＥＧ２，ＳＥＧ３）に対して、共通電極ＣＯＭに印加するパルスと同じパルスを印加することにより、前述の場合と同様に、当該セグメント２１１１〜２１１３のそれぞれの表示状態が維持される。
なお、各セグメント２１１１〜２１１３を白方向に遷移させるタイミングは、１秒間におけるＷＴ１〜ＷＴ４のいずれのタイミングでもよい。
【００４０】
（2-3）セグメント２１１の表示状態とパルス印加時間との関係
図７および図８は、電圧印加時間とセグメント２１１の色変化との関係を示す図である。具体的に、図７は、黒方向へのコントラストの変化を示す図であり、また、図８は、白方向へのコントラストの変化を示す図である。
ここで、最白状態にあるセグメント２１１に対するパルス（電圧）の印加時間と、当該セグメント２１１の色変化について説明する。
最白状態にあるセグメント２１１に対して、黒方向に表示状態が遷移するようにパルスを印加すると、前述のように、当該セグメント２１１の表示状態は、黒方向に遷移する。この際、パルスの印加時間とコントラストの変化分とは正比例とはならず、図７において実線で示すように、コントラストは、印加する電圧量に対して飽和曲線状に変化する。
【００４１】
また、最黒状態にあるセグメント２１１に対して、白方向に表示状態が遷移するようにパルスを印加すると、前述のように、当該セグメント２１１の表示状態は、白方向に遷移する。この際、前述の場合と同様に、パルスの印加時間とコントラストの変化分とは正比例とならず、図８において破線で示すように、コントラストは、印加する電圧量に対して飽和曲線状に変化する。
このように、セグメント２１１を所望の色値（色濃度）に達するようにするためには、当該曲線に沿った印加パルス数の制御を行う必要がある。
【００４２】
図９は、図７で示した黒方向への色変化曲線（実線）と、図８で示した白方向への色変化曲線（破線）とを重ね合わせた図である。
図９に示すように、最白状態から最黒状態に変化する際に必要な印加電圧量と、最白状態から最黒状態に変化する際に必要な印加電圧量とは異なる値となる。
【００４３】
具体的に、最白状態から最黒状態に変化する際に必要なパルスの印加時間は「１０」であるが、最黒状態から最白状態に変化する際に必要なパルスの印加時間は「１２」である。
また、黒方向への色変化曲線と、白方向への色変化曲線とが一致しないので、所定数のパルスを印加して現在のセグメント２１１の表示状態を黒方向へ遷移させる場合と、白方向へ遷移させる場合とで、同じ色の表示を実現できない場合がある。
このように、所望の色にセグメント２１１の表示状態を切り替える際には、現在のセグメント２１１の表示状態を把握した後、当該現在の表示状態から所望の色への遷移方向（黒方向または白方向）を考慮してパルスを印加する必要がある。
【００４４】
（2-4）セグメント２１１で表示可能な階調レベル
図１０および図１１は、本実施形態に係る表示パネル２１のセグメント２１１における印加パルス数に応じた色濃度変化を示す図である。このうち、図１０は、黒方向への遷移時の色濃度を示す図であり、図１１は、白方向への遷移時の色濃度を示す図である。また、図１２は、黒方向および白方向への遷移時の印加パルス数に応じた色濃度を示すテーブルである。なお、これら各図１０〜１２において、色濃度は、値が小さいほど白濃度が高く、値が大きいほど黒濃度が高いことを示している。
前述のように、セグメント２１１は、黒方向および白方向に遷移する際に、色が曲線状に変化する。
【００４５】
具体的に、最白状態（平均色濃度「０．３５」）から黒方向に遷移するようにパルスを１〜７回印加し、それぞれのパルス印加時にセグメント２１１の平均色濃度を計測すると、図１０および図１２に示すように、それぞれの色濃度は「０．５１」、「０．７８」、「１．０２」、「１．１７」、「１．２８」、「１．３４」、「１．４３」となる。
また、最黒状態（平均色濃度「１．４８」）から白方向に遷移するようにパルスを１〜７回印加し、それぞれのパルス印加時にセグメント２１１の平均色濃度を計測すると、図１１および図１２に示すように、それぞれの色濃度は「１．１４」、「０．７７」、「０．５８」、「０．４７」、「０．４２」、「０．３９」、「０．３６」となる。
なお、以下の記載において、色濃度として挙げた数値は、平均色濃度の値である。
【００４６】
図１３は、図１０〜図１２に示した最白状態（白最大レベルで色濃度「０．３５」）および最黒状態（黒最大レベルで色濃度「１．４８」）から黒方向および白方向にパルス印加によって遷移する色濃度を順に並べた図である。また、図１４は、図１３において色濃度が略一致する箇所を纏めた図である。
図１３に示すように、最白状態および最黒状態からそれぞれ黒方向および白方向に１〜７パルス印加することによって表示可能な色濃度は、０．３５〜１．４８の範囲内にそれぞれ８段階、計１６段階存在するが、最白状態から黒方向に遷移する場合と、最黒状態から白方向に遷移する場合とで、略同じ色濃度となる箇所が数箇所存在している。
【００４７】
具体的に、最白状態から黒方向に遷移する際の最白状態（色濃度「０．３５」）と、最黒状態から白方向に７パルス印加した場合の最白状態（色濃度「０．３６」）とは、それぞれの色濃度が略一致する。また、最白状態から黒方向に２パルス印加した場合（色濃度「０．７８」）と、最黒状態から白方向に２パルス印加した場合（色濃度「０．７７」）とは、それぞれの表示状態で色濃度が略一致する。さらに、最白状態から黒方向に４パルス印加した場合（色濃度「１．１７」）と、最黒状態から白方向に１パルス印加した場合（色濃度「１．１４」）とは、同様に色濃度が略一致する。加えて、最白状態から黒方向に７パルス印加した場合（色濃度「１．４３」）と、最黒状態から白方向に遷移する際の最黒状態（色濃度「１．４８」）とは、同様に色濃度が略一致する。
【００４８】
ここで、黒方向および白方向への色表示遷移において、略一致する色濃度を纏めると、図１４に示すように、１２段階の色濃度が存在することとなり、当該１２段階が表示可能な階調レベルとなる。
これら１２階調を白レベルおよび黒レベルに分類する。具体的に、色濃度「０．３５〜０．３６」を白レベル６（白最大レベル）とし、同様に、「０．３９」、「０．４２」、「０．４７」、「０．５１」および「０．５８」を、それぞれ白レベル５〜１に設定する。また、色濃度「１．４３〜１．４８」を黒レベル６（黒最大レベル）とし、同様に、「１．３４」、「１．２８」、「１．１４〜１．１７」、「１．０２」および「０．７７〜０．７８」を、それぞれ黒レベル５〜１に設定する。
これらのうち、白レベル５〜１および黒レベル１〜５が中間色となる。
なお、黒方向および白方向のパルスを印加した際に略一致する色濃度の階調レベル（白レベル６、黒レベル１、黒レベル３および黒レベル６）を、後述する制御基板２２の目標値設定手段２２３が目標値として設定する。
【００４９】
（３）制御基板２２の構成
図１５は、制御基板２２の構成を示すブロック図である。
制御基板２２は、本発明の駆動手段に相当し、前述のように、時計１全体の駆動を制御する回路基板として構成されている。例えば、制御基板２２は、電池取付部２３に取り付けられた電池４から供給される電力を得て、表示パネル２１にパルスを印加して、当該表示パネル２１の表示を制御する。
この制御基板２２は、図１５に示すように、感圧手段２２１、計時手段２２２、目標値設定手段２２３、パルス印加手段２２４、ＲＡＭ（Random Access Memory）２２５およびフラッシュメモリ２２６を備えて構成されている。
このうち、ＲＡＭ２２５は、作業メモリとして設けられ、制御基板２２による動作制御時に、各種データやプログラム等の情報を一時的に記憶する。このような情報として、例えば、表示パネル２１のセグメント２１１ごとの現在の階調レベル（現在値）や、セグメント２１１の色変更時に設定される目標値が挙げられる。
【００５０】
フラッシュメモリ２２６は、本発明の記憶手段に相当し、時計１の駆動制御に必要な各種データやプログラム等を記憶しているほか、後述する色変更時処理において利用される色遷移情報としてのルックアップテーブル（以下、「ＬＵＴ」と略す場合がある）を記憶している。このＬＵＴは、後述するパルス印加手段２２４を構成する遷移値取得部２２４３によって参照され、黒方向または白方向に１パルス印加された際に遷移する階調レベルが設定されている。
【００５１】
図１６は、フラッシュメモリ２２６に記憶されたＬＵＴを示す図である。この図１６において、「Ｗ」および「Ｂ」は、それぞれ白レベルおよび黒レベルを示し、それぞれの英字の後に付された三桁の数字は、それぞれのレベル値を示している。また、横軸において右上がりの斜線で示した箇所は、前述の設定可能な階調レベルであり、テーブル中で右下がりの斜線で示した箇所は、現在値からのパルス印加で目標値を越えて到達する階調レベルを示している。
【００５２】
具体的に、ＬＵＴは、図１６に示すように、縦軸および横軸に、セグメント２１１で表示可能な階調レベルが設定されている。そして、このＬＵＴには、現在値の状態にある表示パネル２１のセグメント２１１に対して、黒方向および白方向にそれぞれ１パルス印加した場合に遷移する階調レベルが示されている。すなわち、ＬＵＴは、縦軸に設定された階調レベルから現在値を選択し、横軸に設定された階調レベルから目標値を選択し、それぞれが重なる領域に示された値が、現在値から目標値に向う方向に１パルス印加した際に到達する階調レベルとなるように設定されている。
【００５３】
例えば、現在の階調レベル（現在値）が白レベル１（W_001）にあるセグメント２１１に対して、黒方向に１パルス印加した場合、当該セグメント２１１は黒レベル１（B_001）に到達することが示されている。また、現在値が黒レベル３（B_003）にあるセグメント２１１に対して、白方向に１パルス印加した場合、当該セグメント２１１は黒レベル１（B_001）に到達することが示されている。
【００５４】
なお、図１６において、右下がりの斜線の領域は、前述のように、現在値の階調レベルにあるセグメント２１１に対して黒方向または白方向のパルスを印加した場合に、横軸に表した目標値を通り越してしまう階調レベルである。
例えば、現在値が白レベル３（W_003）にあるセグメント２１１に対して、黒方向に１パルス印加した場合、目標値が白レベル２（W_002）であっても、当該セグメント２１１は、黒レベル１（B_001）に達してしまう。また、現在値が黒レベル３（B_003）であるセグメント２１１に対して、白方向に１パルス印加した場合、目標値が黒レベル２であっても、当該セグメント２１１は、黒レベル１に達してしまう。このため、後述する目標値設定手段２２３は、黒方向および白方向のいずれのパルス印加の場合においても到達可能な白レベル６（W_006）、黒レベル１（B_001）、黒レベル３（B_003）および黒レベル６（B_006）を目標値として設定する。これは、黒方向のパルスおよび白方向のパルスが同じセグメント２１１に対して、１秒以内にそれぞれ印加する場合のように、パルス印加における制御が複雑化するのを抑えるためである。
【００５５】
図１５に戻り、感圧手段２２１は、前述のように、筐体３に設けられたキー３３により押圧され、当該キー３３の入力を検出する。そして、感圧手段２２１は、キー３３の入力を検出すると、目標値設定手段２２３に制御信号を出力する。例えば、感圧手段２２１は、２つのキー３３のうち一方のキー入力を検出した場合には、現在時刻から時刻修正等のモード切替を実行させる制御信号を出力し、また、他方のキー入力を検出した場合には、月日および曜日の表示を実行させる制御信号等を出力する。
計時手段２２２は、現在時刻を計時するタイマで構成されている。
【００５６】
目標値設定手段２２３は、計時手段２２２によって計時される現在時刻や、感圧手段２２１から入力する制御信号に基づいて、表示パネル２１の表示内容を変更するために、各セグメント２１１に表示させる階調レベルである目標値を設定する。
具体的に、目標値設定手段２２３は、表示パネル２１の各セグメント２１１の目標値を、セグメント２１１ごとに設定し、当該目標値をＲＡＭ２２５に記憶させる。なお、目標値設定手段２２３は、前述のように、１つのセグメント２１１に対して、白レベル６、黒レベル１、黒レベル３および黒レベル６のいずれかを、目標値として設定する。
【００５７】
パルス印加手段２２４は、前述のフラッシュメモリ２２６に記憶されたＬＵＴを参照し、ＲＡＭ２２５に記憶された各セグメント２１１の現在値と目標値とが一致するまで、当該セグメント２１１のセグメント電極ＳＥＧに対して、黒方向または白方向のパルス印加を繰り返すものである。このパルス印加手段２２４によるパルス印加は、セグメント２１１ごとに行われる。
このパルス印加手段２２４は、値判定部２２４１、パルス印加部２２４２、遷移値取得部２２４３および現在値更新部２２４４を備えて構成されている。
【００５８】
値判定部２２４１は、セグメント２１１の現在値と、目標値設定手段２２３により設定された当該セグメント２１１の目標値とを比較して、それぞれが一致するか否かを判定する。そして、それぞれが一致しないと判定すると、当該セグメント２１１のセグメント電極ＳＥＧに対して、パルス印加部２２４２により黒方向または白方向のパルスを１パルス印加させる。
【００５９】
パルス印加部２２４２は、パルス印加するセグメント２１１の現在値に基づいて、黒方向および白方向のいずれの方向のパルスを印加するかを判定する。すなわち、パルス印加部２２４２は、ＲＡＭ２２５に記憶されたセグメント２１１の現在値と、同じくＲＡＭ２２５に記憶された目標値とを比較し、現在値が目標値に向う方向が黒方向であるか白方向であるかを判定する。すなわち、ＬＵＴ（図１６参照）の横軸において、現在値が目標値に対して左側に位置する場合には、印加するパルスは黒方向であり、右側に位置する場合には、印加するパルスは白方向であると判断する。
そして、パルス印加部２２４２は、黒方向であると判断した場合には、当該セグメント２１１に接続されたセグメント電極ＳＥＧに対して黒方向に１パルス印加し、また、白方向であると判断した場合には、白方向に１パルス印加する。例えば、あるセグメント２１１の現在値が黒レベル１（B_001）であり、目標値が黒レベル６（B_006）である場合には、黒方向に１パルス印加し、また、目標値が白レベル６（W_006）である場合には、白方向に１パルス印加する。
【００６０】
遷移値取得部２２４３は、フラッシュメモリ２２６に記憶された色遷移情報を参照して、パルス印加部２２４２のパルス印加によって遷移する階調レベルを取得する。
具体的に、遷移値取得部２２４３は、色遷移情報の縦軸に設定された現在値から、パルス印加部２２４２によりパルス印加される前のセグメント２１１の階調レベルである現在値（ＲＡＭ２２５に記憶された当該セグメント２１１の現在値）に対応する値を選択する。例えば、前述のように、パルス印加前のセグメント２１１の現在値が黒レベル１（B_001）である場合には、色遷移情報の縦軸に設定された現在値から「黒レベル１（B_001）」を選択する。
そして、遷移値取得部２２４３は、色遷移情報の横軸に設定された各階調レベルから目標値を選択する。例えば、前述のように、目標値として黒レベル６が設定されている場合には、色遷移情報の横軸に設定された各階調レベルから「黒レベル６（B_006）」を選択する。
【００６１】
この後、遷移値取得部２２４３は、縦軸の階調レベルから選択された「黒レベル１（B_001）」と、横軸の階調レベルから選択された「黒レベル６（B_006）」とが重なる領域の値を取得する。例えば、遷移値取得部２２４３は、前述の例では「黒レベル２（B_002）」を取得する（図１６参照）。この値が、パルス印加部２２４２によるパルス印加により現在値から遷移する階調レベルということになる。同様に、現在値が目標値に達する方向が白方向であった場合でも、遷移先の階調レベルを取得することができる。
現在値更新部２２４４は、遷移値取得部２２４３により取得された遷移値で、ＲＡＭ２２５に記憶された、対応するセグメント２１１の現在値を更新する。
【００６２】
（４）色変更時処理
以下に、表示パネル２１のセグメント２１１の色変更時に制御基板２２によって実行される色変更時処理について説明する。
図１７は、色変更時処理の処理フローを示す図である。
色変更時処理は、現在時刻表示中の時刻変化や、前述のキー３３入力等による表示モード切替等により、表示パネル２１の表示内容を変更する必要がある場合に、セグメント２１１ごとに実行される。
具体的に色変更時処理では、図１７に示すように、まず、制御基板２２の目標値設定手段２２３が、表示すべき内容に合わせて表示パネル２１の所定のセグメント２１１（対象セグメント２１１）に表示させる階調レベルを目標値として設定し、当該目標値をセグメント２１１に区分してＲＡＭ２２５に一時的に記憶させる（ステップＳ０１）。
【００６３】
このステップＳ０１の後、パルス印加手段２２４の値判定部２２４１が、ＲＡＭ２２５に記憶された対象セグメント２１１の現在の階調レベル（現在値）を取得し（ステップＳ０２）、当該現在値と、ＲＡＭ２２５に記憶された目標値とを比較する（ステップＳ０３）。
ここで、値判定部２２４１が、対象セグメント２１１の現在値と目標値とがそれぞれ一致すると判定した場合には、表示内容を変更する必要がない、すなわち、色変更のためのパルス印加を行う必要が無いと判断して、色変更時処理を終了する。
【００６４】
一方、値判定部２２４１が、対象セグメント２１１の現在値と目標値とが一致しないと判定した場合、パルス印加部２２４２が、印加するパルスが黒方向のパルスか白方向のパルスかを判定し（ステップＳ０４）、当該判定結果に基づいて、当該対象セグメント２１１のセグメント電極ＳＥＧに対して黒方向または白方向のパルスを、１パルス印加する。
具体的に、パルス印加部２２４２は、目標値と現在値とを比較し、目標値の色濃度が、現在値の色濃度より高いと判断した場合、すなわち、ＬＵＴの横軸において現在値が目標値より左側に位置すると判断した場合には、正のパルスすなわち黒方向のパルスを、１パルス印加する（ステップＳ０５）。また、目標値の色濃度が現在値の色濃度より低いと判断した場合、すなわち、ＬＵＴの横軸において現在値が目標値の右側に位置すると判断した場合には、パルス印加部２２４２は、負のパルスすなわち白方向のパルスを、１パルス印加する（ステップＳ０６）。このパルス印加部２２４２によるパルス印加によって、対象セグメント２１１の色濃度が、目標値の色濃度に近づくこととなる。
【００６５】
このようなパルス印加部２２４２によるパルス印加の際に、遷移値取得部２２４３が、フラッシュメモリ２２６に記憶されたＬＵＴから、パルス印加によって遷移する対象セグメント２１１の階調レベルを取得する（ステップＳ０７）。
そして、現在値更新部２２４４が、ステップＳ０７で遷移値取得部２２４３により取得された遷移値で、ＲＡＭ２２５に記憶された対象セグメント２１１の現在値を更新する（ステップＳ０８）。
【００６６】
このステップＳ０８の後、再び、ステップＳ０２が実行され、パルス印加手段２２４の値判定部２２４１は、色変更対象である対象セグメント２１１の現在値をＲＡＭ２２５から取得する。そして、当該値判定部２２４１は、現在値と目標値とを比較し、それぞれが一致すると判定した場合には、前述のように色変更時処理を終了し、一致しないと判定した場合には、ステップＳ０４〜Ｓ０８を繰り返す。このため、対象セグメント２１１の現在値と目標値とが一致するまで、ステップＳ０２〜Ｓ０８が繰り返されることとなる。
【００６７】
具体的に、現在値が黒レベル１であり、目標値が黒レベル３である場合の色変更時処理について説明する。
現在値が黒レベル１である対象セグメント２１１の表示状態を、黒レベル３に変更する際には、色変更時処理において、まず、目標値設定手段２２３が対象セグメント２１１の目標値を黒レベル３に設定する（ステップＳ０１）。この後、パルス印加手段２２４の値判定部２２４１が、ＲＡＭ２２５から対象セグメント２１１の現在値（黒レベル１）、および、当該対象セグメント２１１の目標値（黒レベル３）を取得する（ステップＳ０２）。この後、値判定部２２４１が現在値と目標値とを比較する（ステップＳ０３）が、それぞれは一致しない。このため、パルス印加部２２４２は、現在値が目標値に近接する方向が黒方向であるか白方向であるかを判定する（ステップＳ０４）。
【００６８】
ここで、現在値である黒レベル１の色濃度は「０．７７」であり、目標値である黒レベル３の色濃度は「１．１５」であるので、パルス印加部２２４２は、対象セグメント２１１に印加するパルスは黒方向のパルスであると判断し、当該パルス印加部２２４２は、対象セグメント２１１のセグメント電極ＳＥＧに対して、黒方向のパルスを１パルス印加する（ステップＳ０５）。この際、遷移値取得部２２４３が、ＬＵＴから、現在値が「黒レベル１」であり、目標値が「黒レベル３」である場合に、黒方向に１パルス印加された際に遷移する階調レベルを取得する（ステップＳ０７）。これにより、遷移値として「黒レベル２」が取得され、現在値更新部２２４４が、当該遷移値（黒レベル２）でＲＡＭ２２５に記憶されている対象セグメント２１１の現在値（黒レベル１）が更新される。
【００６９】
そして、再び、値判定部２２４１がＲＡＭ２２５から対象セグメント２１１の現在値（黒レベル２）を取得し、当該現在値と目標値との比較が行われ（ステップＳ０３）、同様に、ステップＳ０４〜Ｓ０８が実行される。この際には、パルス印加部２２４２による黒方向の１パルスの印加により、対象セグメント２１１の表示状態は「黒レベル３」となる。また、遷移値取得部２２４３が、ＬＵＴから、現在値を「黒レベル２」とし、目標値を「黒レベル３」とした際のパルス印加によって遷移する遷移値（黒レベル３）を取得し、現在値更新部２２４４が、当該遷移値（黒レベル３）で、ＲＡＭ２２５の対象セグメント２１１の現在値（黒レベル２）を更新する。
【００７０】
この後、値判定部２２４１により、新たに対象セグメント２１１の現在値（黒レベル３）がＲＡＭ２２５から取得され（ステップＳ０２）、当該現在値と目標値（黒レベル３）との比較が行われる。そして、値判定部２２４１が、現在値（黒レベル３）と目標値（黒レベル３）とが一致すると判断し、色変更時処理を終了する。
なお、以上のような色変更時処理における動作は、現在値が「黒レベル１」であり、目標値が「黒レベル３」である場合について説明したが、例えば、目標値が「白レベル６」である場合においても、印加パルスが白方向であり、また、Ｓ０２〜Ｓ０８が結果として４回繰り返されること以外は、同様に処理される。
【００７１】
以上のような、本実施形態の時計１によれば、以下の効果を奏することができる。
すなわち、制御基板２２のパルス印加手段２２４は、目標値設定手段２２３により設定された目標値に、色変更対象となる対象セグメント２１１の現在の階調レベル（現在値）が一致するまで、現在値を更新しつつ黒方向または白方向のいずれかのパルスを１パルスずつ印加する。具体的に、パルス印加手段２２４の値判定部２２４１が、目標値と現在値とを比較判定し、一致しない場合には、パルス印加部２２４２が、現在値が目標値に近づくように、黒方向または白方向のパルスを１パルス印加する。そして、遷移値取得部２２４３が、フラッシュメモリ２２６に記憶された色遷移情報であるＬＵＴから、遷移先の階調レベル（遷移値）を取得し、当該遷移値で現在値更新部２２４４が現在値を更新する。そして、このようなパルス印加手段２２４による処理を、現在値と目標値とが一致するまで繰り返す。
【００７２】
これによれば、パルス印加部２２４２によるパルス印加に伴って遷移する階調レベルを、遷移値取得部２２４３がＬＵＴから取得するので、対象セグメント２１１の階調レベルが急激に変化した場合でも、適切に遷移先の階調レベルを取得して、現在値を更新することができる。例えば、白レベル１のセグメント２１１に白方向に１パルス印加した場合に、パルス印加後の遷移値である白レベル３を取得して、当該セグメント２１１のパルス印加後の現在値を適切に更新することができる。このため、現在値に応じて、パルス印加が必要か否かを判定しつつ現在値が目標値に達するまでパルス印加を行うので、予め印加パルス数を決定した後に当該パルスを印加する場合に比べ、色変更を簡易な処理で行うことができるほか、対象セグメント２１１の階調レベルが適切に目標値に達するようにすることができる。従って、適切な階調表示を簡易な処理で行うことができる。
【００７３】
また、パルス印加部２２４２による黒方向または白方向の１パルスの印加ごとに、遷移値取得部２２４３が、遷移値をＬＵＴから取得し、現在値更新部２２４４が、取得された遷移値で現在値を更新する。これによれば、使用者がキー３３を入力するなどして、モード切替等に係る表示パネル２１の表示内容変更が、色変更時処理中に発生した場合でも、当該表示内容に応じて、目標値設定手段２２３が、対象セグメント２１１の目標値を変更することにより、複雑な処理を必要とすることなく、迅速に目標値に達するように、対象セグメント２１１の色変更（階調レベルの変更）を行うことができる。従って、色変更時の処理時間を短縮することができ、表示装置２の応答性を向上することができるほか、消費電力を低減することができる。
【００７４】
さらに、表示装置２のうち、表示パネル２１を交換するなどした場合でも、フラッシュメモリ２２６に記憶されたＬＵＴの内容を変更することにより、交換された表示パネル２１の仕様に合わせて、当該表示パネル２１の各セグメント２１１における階調レベル変更を行うことができる。従って、各種表示パネル２１に対応することができ、表示装置２ひいては時計１の汎用性を向上することができる。
【００７５】
また、所定の表示状態にあるセグメント２１１に対して黒方向または白方向に１パルス印加した際に遷移する階調レベルが設定された色遷移情報としてのＬＵＴが、フラッシュメモリ２２６に記憶されていることにより、現在値から遷移する遷移値の取得を適切かつ迅速に行うことができる。従って、階調レベルの変更時の応答性を一層向上することができるとともに、処理時間を短縮して消費電力の一層の低減を図ることができる。
【００７６】
また、ＬＵＴは、縦軸に現在値が選択される階調レベルが設定され、横軸に目標値が選択される階調レベルが設定されているので、現在値から目標値に達する方向を把握しやすくすることができる。従って、適切な方向のパルスを、対象セグメント２１１に接続されたセグメント電極ＳＥＧに印加することができる。
【００７７】
さらに、ＬＵＴには、所定の階調レベルにあるセグメント２１１に対して黒方向および白方向にそれぞれ１パルス印加した際に遷移する階調レベルが、遷移値として設定されている。これによれば、対象セグメント２１１に対して１パルスずつ印加するパルス印加を行うことができ、パルス印加の最小単位で、対象セグメント２１１の階調レベル制御を行うことができる。従って、セグメント２１１の階調表示制御を詳細に行うことができる。
【００７８】
また、目標値設定手段２２３は、黒方向および白方向のいずれの場合でも達することのできる階調レベル（白レベル６、黒レベル１、黒レベル３および黒レベル６）を目標値として設定する。これによれば、黒方向のパルスを印加した後に白方向のパルスを印加する場合や、白方向のパルスを印加した後に黒方向のパルスを印加するなどの複雑な階調レベル制御を行う必要を無くすことができる。また、これにより、黒方向および白方向のいずれかに遷移する場合においても、対象セグメント２１１を略同じ階調レベルの表示状態とすることができる。従って、適切な階調表示を一層簡易に行うことができる。
【００７９】
（５）実施形態の変形
本発明は前述の実施形態に限定されるものではなく、本発明の目的を達成できる範囲での変形、改良等は本発明に含まれるものである。
前記実施形態では、目標値設定手段２２３は、黒方向および白方向のパルス印加で表示可能な色濃度に対応する階調レベル（白レベル６、黒レベル１、黒レベル３および黒レベル６）を目標値として設定するとしたが、本発明はこれに限らない。例えば、表示パネル２１の各セグメント２１１で表示可能な階調レベルのうち、いずれかを目標値として設定するようにしてもよい。このような場合、一方の方向のパルスを所定回数印加した後、他方の方向のパルスを印加するようにすればよい。例えば、現在値が「黒レベル３」であり、目標値が「黒レベル２」である場合、白方向のパルスを１パルス印加して「黒レベル１」とした後に、黒方向のパルスを１パルス印加して「黒レベル２」とするようにしてもよい。
【００８０】
前記実施形態では、フラッシュメモリ２２６に記憶された色遷移情報は、現在値と、当該現在値の表示状態にあるセグメント２１１に対する正または負の１パルスのパルス印加によって遷移する階調レベルである遷移値とが対応したＬＵＴとして記憶されているとしたが、本発明はこれに限らない。すなわち、色遷移情報は、テーブル形式で記憶されていなくてもよく、例えば、前述の変位曲線の関数として記憶されていてもよい。また、色遷移情報は、共通電極ＣＯＭおよびセグメント電極ＳＥＧに印加する電圧値に応じて記憶されていてもよく、また、他のパラメータごとに記憶されていてもよい。このようなパラメータとして、例えば、表示装置２の周辺湿度および周辺温度等を挙げることができる。
【００８１】
前記実施形態では、色遷移情報としてのＬＵＴには、現在値の表示状態にあるセグメント２１１に対して、正負いずれかの１パルスのパルス印加が行われた際の遷移値が、現在値と関連付けられて設定されているとしたが、本発明はこれに限らない。例えば、複数回のパルス印加による遷移値が現在値に関連付けられてＬＵＴに設定されていてもよい。
【００８２】
前記実施形態では、表示パネル２１のセグメント２１１を構成するマイクロカプセル２１２には、２種類の電気泳動素子として、負に荷電した白の色素片２１２Ｗと、正に荷電した黒の色素片２１２Ｂとが封入されているとしたが、本発明はこれに限らない。例えば、白の色素片２１２Ｗが正に荷電していてもよく、また、黒の色素片２１２Ｂが負に荷電していてもよい。また、２種類の色素片は異なる色であればよく、それぞれ異なる色を有する色素片を適宜採用してよい。
さらに、前記実施形態では、正のパルスとして黒方向のパルスを、また、負のパルスとして白方向のパルスを印加するとしたが、本発明はこれに限らない。すなわち、セグメントに印加する正のパルスおよび負のパルスは、当該セグメントを構成するマイクロカプセルの各色素片の荷電状態に応じて、適宜設定してよい。
【００８３】
前記実施形態では、白の色素片２１２Ｗおよび黒の色素片２１２Ｂにより、モノクロ表示を行う表示装置２を有する時計１として構成したが、本発明はこれに限らない。例えば、各セグメント２１１を微細に構成し、各セグメント２１１に対応する位置にカラーフィルタ等を設けてカラー表示可能に構成してもよい。また、前述のように、各セグメント２１１を構成するマイクロカプセル２１２内に封入される２種類の色素片に、所定の色を有し、それぞれ濃淡が区別される２種類の色素片を封入して、各マイクロカプセル２１２に印加するパルスを制御することにより、カラー表示可能に構成してもよい。例えば、このような色素片として、一方が濃く他方が淡い２つの色素片で、かつ、それぞれ赤（Ｒ）、緑（Ｇ）および青（Ｂ）のいずれかの色を有する色素片を挙げることができる。
【００８４】
前記実施形態では、表示装置２を備える機器として腕時計として構成された時計１を挙げたが、本発明はこれに限らない。例えば、表示装置２を壁掛時計等に採用してもよい。また、時計ではなく、モニタ等の画像表示装置に本発明を適用することも可能である。
【図面の簡単な説明】
【００８５】
【図１】本発明の一実施形態に係る時計を示す斜視図。
【図２】前記実施形態における表示装置の平面を示す模式図。
【図３】前記実施形態における表示パネルの構成を示す模式図。
【図４】前記実施形態における印加パルス数とセグメントの表示状態とを示す図。
【図５】前記実施形態におけるパルス印加によるセグメントの表示状態の遷移を示す図。
【図６】前記実施形態におけるパルス印加によるセグメントの表示状態の遷移を示す図。
【図７】前記実施形態における電圧印加時間とセグメントの色変化との関係を示す図。
【図８】前記実施形態における電圧印加時間とセグメントの色変化との関係を示す図。
【図９】図７の色変化曲線と、図８の色変化曲線とを重ね合わせた図。
【図１０】前記実施形態におけるセグメントにおける印加パルス数に応じた色濃度変化を示す図。
【図１１】前記実施形態におけるセグメントにおける印加パルス数に応じた色濃度変化を示す図。
【図１２】前記実施形態における黒方向および白方向への遷移時の印加パルス数に応じた色濃度を示す図。
【図１３】前記実施形態における最白状態および最黒状態から黒方向および白方向に遷移する色濃度を順に並べた図。
【図１４】図１３において色濃度が略一致する箇所を纏めた図。
【図１５】前記実施形態における制御基板の構成を示すブロック図。
【図１６】前記実施形態における色遷移情報としてのＬＵＴを示す図。
【図１７】前記実施形態における色変更時処理の処理フローを示す図。
【符号の説明】
【００８６】
１…時計、２…表示装置、３…筐体、２１…表示パネル（電気泳動表示パネル）、２２…制御基板（駆動手段）、２２３…目標値設定手段、２２４…パルス印加手段、２２６…フラッシュメモリ（記憶手段）、２１２Ｂ…黒の色素片（電気泳動素子）、２１２Ｗ…白の色素片（電気泳動素子）、２２４１…値判定部、２２４２…パルス印加部、２２４３…遷移値取得部、２２４４…現在値更新部、ＣＯＭ…共通電極（電極）、ＳＥＧ…セグメント電極（電極）。
【図１】
2008003343.tif 000003
【図２】
2008003343.tif 000004
【図３】
2008003343.tif 000005
【図４】
2008003343.tif 000006
【図５】
2008003343.tif 000007
【図６】
2008003343.tif 000008
【図７】
2008003343.tif 000009
【図８】
2008003343.tif 000010
【図９】
2008003343.tif 000011
【図１０】
2008003343.tif 000012
【図１１】
2008003343.tif 000013
【図１２】
2008003343.tif 000014
【図１３】
2008003343.tif 000015
【図１４】
2008003343.tif 000016
【図１５】
2008003343.tif 000017
【図１６】
2008003343.tif 000018
【図１７】
2008003343.tif 000019